(57)【要約】      （修正有）【課題】優れたシロアリ定着向上方法および、シロアリの定着が向上する多孔状シロアリ喫食材料やそれを使用したシロアリ毒餌剤を提供する。【解決手段】多孔状シロアリ喫食材料における全ての孔の開口面積が４ｍｍ２以上１２ｍｍ２以下であるシロアリ定着向上方法。【選択図】図２
2019037177.tif 000002
【特許請求の範囲】
【請求項１】
多孔状シロアリ喫食材料における全ての孔の開口面積が４ｍｍ２以上１２ｍｍ２以下であることを特徴とする、シロアリ定着向上方法。
【請求項２】
全ての孔の開口面積が４ｍｍ２以上１２ｍｍ２以下であることを特徴とする、多孔状シロアリ喫食材料。
【請求項３】
請求項２に記載の多孔状シロアリ喫食材料が、食毒剤を含有することを特徴とするシロアリ毒餌剤。
【発明の詳細な説明】
【技術分野】
【０００１】
本発明は、シロアリ定着向上方法およびシロアリ毒餌剤に関する。より詳しくは、本発明は、多孔状シロアリ喫食材料における全ての孔の開口面積が４ｍｍ２以上１２ｍｍ２以下であることを特徴とするシロアリ定着向上方法と、全ての孔の開口面積が４ｍｍ２以上１２ｍｍ２以下である多孔状シロアリ喫食材料および、その多孔状シロアリ喫食材料が食毒剤を含有するシロアリ毒餌剤に関する。
【背景技術】
【０００２】
シロアリは、住宅、文化財建造物等といった家屋などの建造物の木質資材を加害する構造害虫のうち最も破壊的な害虫といわれている。シロアリは近辺の木材や他のセルロース含有物を食いつくすが、通常は、これら被損部が木質資材の内部や土壌中に隠れているので、被損が深刻になるまで検知できないことが多い。
実用化されているシロアリ駆除法としては、ピレスロイド系化合物、ネオニコチノイド系化合物等の殺虫活性成分を含有する製剤を、シロアリで被害を受けた箇所やシロアリが家屋に侵入する箇所等に散布する方法がある（例えば、特許文献１等）。しかしながら、この方法ではシロアリの巣ごと壊滅させることは難しい。一方、シロアリの巣ごと壊滅させるシロアリ駆除法として、殺虫活性成分を混入した毒餌剤（ベイト剤）をシロアリに摂取させて、シロアリ駆除を行うベイト工法が採用されている（例えば、特許文献２等）。このベイト工法は、限定的に薬剤を使用するので環境を汚染しないという長所がある反面、シロアリの巣を壊滅するのに数ヶ月という長期間を要するという欠点があった。
【０００３】
【特許文献１】特表２００６−５１５３７４号公報
【特許文献２】特開２００２−２１２０１１号公報
【発明の概要】
【発明が解決しようとする課題】
【０００４】
シロアリは、刺激に対して非常に敏感な生き物であり、光、音、振動、臭いなどを敏感に感知する。そのため、１ヶ所に定着することはなく、常に様々な場所へ移動し、動き回っている。このことから、１ヶ所に集め、その場に定着させることが難しい生き物である。一方、１ヶ所に集め、定着させることができれば、そこに殺虫剤を施用することで、シロアリを駆除することができる。また、その場所に毒餌剤を設置すれば、１度設置するのみで、シロアリを駆除することができる。そのため、１ヶ所に集め、その場に定着させること、また確実な駆除効果が得られることも求められていた。
そこで本発明は、シロアリの定着を向上させる方法および、シロアリの定着が向上する多孔状シロアリ喫食材料やそれを使用したシロアリ毒餌剤の提供を目的としている。
【課題を解決するための手段】
【０００５】
本発明者は、上記課題を解決するために鋭意研究を重ねた結果、多孔状シロアリ喫食材料における全ての孔の開口面積を４ｍｍ２以上１２ｍｍ２以下とすることにより、シロアリの定着が飛躍的に向上することを見出し、上記課題を解決するに至ったものである。
【０００６】
本発明は、具体的には次の事項を要旨とする。
１．多孔状シロアリ喫食材料における全ての孔の開口面積が４ｍｍ２以上１２ｍｍ２以下であることを特徴とする、シロアリ定着向上方法。
２．全ての孔の開口面積が４ｍｍ２以上１２ｍｍ２以下であることを特徴とする、多孔状シロアリ喫食材料。
３．２．記載の多孔状シロアリ喫食材料が、食毒剤を含有することを特徴とするシロアリ毒餌剤。
【発明の効果】
【０００７】
本発明のシロアリ定着向上方法は、多孔状シロアリ喫食材料における全ての孔の開口面積を４ｍｍ２以上１２ｍｍ２以下とすることにより、喫食材料に対するシロアリの定着が飛躍的に向上するという効果を発揮するものである。
さらに、本発明の多孔状シロアリ喫食材料は、シロアリの定着に優れるものであるから、これに食毒剤を含有させたシロアリ毒餌剤は、優れたシロアリ駆除効果を得ることができ実用的である。
【図面の簡単な説明】
【０００８】
【図１】図１は、シロアリ定着評価試験の概要を示した図である。
【図２】図２は、シロアリ定着評価試験の結果、シロアリ定着数と孔の開口面積との関係を示す図である。
【発明を実施するための形態】
【０００９】
以下、本発明のシロアリ定着向上方法と、多孔状シロアリ喫食材料および、それを使用したシロアリ毒餌剤について詳細に説明する。
【００１０】
本発明における多孔状シロアリ喫食材料は、全ての孔の開口面積が４ｍｍ２以上１２ｍｍ２以下であることを特徴とするものである。その材質は、全ての孔が特定の開口面積を有する多孔状とすることができ、シロアリが好み喫食するものであれば特に限定されない。具体例としては、例えばセルロース含有資材が挙げられる。セルロース含有資材は、例えば、材木片および大鋸屑等のいわゆる木質資材や各種のセルロース製品が例示できる。木質資材の樹種としては、例えばアカマツ、クロマツ、ツガ等の針葉樹およびカバ、ペカン等の広葉樹が挙げられる。セルロース製品としては、例えば、セルロース粉末、結晶状セルロース、繊維状セルロース等のほか、セルロース紙、澱粉含有紙、無機繊維紙等のセルロース含有紙が挙げられる。中でも、その加工性の良さから木質資材またはセルロース含有紙が好ましい。本発明の多孔状シロアリ喫食材料としては、材木片や木粉を加工して多孔状構造物としたものや、セルロース含有紙を加工して多孔状構造物としたものが好ましい。
【００１１】
本発明における多孔状シロアリ喫食材料の開口面積を、４ｍｍ２以上１２ｍｍ２以下の範囲とすることは、シロアリの定着を向上させる臨界的な意味を有する。この開口面積の下限値は５ｍｍ２以上が好ましく、６ｍｍ２以上がより好ましい。また、その上限値は１１ｍｍ２以下が好ましい。
本発明の多孔状シロアリ喫食材料における孔は、各種シロアリが侵入できる奥行き、詳しくは、少なくとも１０ｍｍより大きい奥行きを有するものを意味し、くぼみ（ディンプル）は含まれない。また、開口形状は特に限定されないが、丸型形状や、三角や四角等の多角形形状が好ましい。さらに、本発明の多孔状シロアリ喫食材料は、全ての孔が多孔状シロアリ喫食材料を貫通していると、シロアリの出入り口が増え、さらなる定着の向上が図られるため好ましい。この場合、複数の孔が多孔状シロアリ喫食材料の内部において、交差しても良い。多孔状シロアリ喫食材料を貫通する孔の長さは、孔の両端からシロアリが侵入できることを考慮し、少なくとも１０ｍｍより大きい長さを有することが好ましく、１５ｍｍ以上の長さを有することがより好ましい。
【００１２】
本発明の多孔状シロアリ喫食材料の形状は、例えば直方体、円柱状、球状、ハニカム形状等様々な形状を取ることができ、その形状や寸法等は特に限定されない。形状が直方体である場合、寸法は一辺若しくは直径が１ｃｍより大きく、１５ｃｍより小さく、天面（底面）が１０ｃｍ２より大きく、２２５ｃｍ２より小さい矩形・長方形・円形・楕円形などで、高さが１ｃｍより大きく、３０ｃｍより小さいものが好ましい。
【００１３】
本発明の多孔状シロアリ喫食材料は、食毒剤を含有してシロアリ毒餌剤とする態様が好ましい。この食毒剤としては、シロアリが経口的に摂取することにより致死するものであれば良く、例えば、公知の殺シロアリ活性化合物、昆虫成長調節剤、シロアリ防除剤等が挙げられるが、特に限定されない。具体例としては、例えば天然ピレトリン、アレスリン、レスメトリン、フラメトリン、プラレトリン、テラレスリン、フタルスリン、フェノトリン、ペルメトリン、シフェノトリン、サイパーメスリン、トランスフルトリン、メトフルトリン、プロフルトリン、イミプロトリン、エンペントリン、エトフェンプロックス、シラフルオフェン等のピレスロイド系化合物；プロポクスル、カルバリル等のカーバメート系化合物；フェニトロチオン、ＤＤＶＰ等の有機リン系化合物；メトキサジアゾン等のオキサジアゾール系化合物；フィプロニル等のフェニルピラゾール系化合物；アミドフルメト等のスルホンアミド系化合物；イミダクロプリド、ジノテフラン等のネオニコチノイド系化合物等の殺シロアリ活性化合物；ジフルベンズロン、ビストリフルロン、ノバルロン、ノビフルムロン、ルフェヌロン、ヘキサフルムロン、クロルフルアズロン等のベンゾイルフェニルウレア系化合物；メトプレン、ハイドロプレン等の昆虫幼若ホルモン様化合物；プレコセン等の抗幼若ホルモン様化合物等の昆虫成長調節剤；フィトンチッド、ハッカ油、オレンジ油、桂皮油、丁子油等の殺虫精油類等の各種シロアリ防除剤が挙げられ、必要に応じてサイネピリン、ピペロニルブトキサイド等の共力剤等を併用してもよい。本発明の多孔状シロアリ喫食材料が含有する食毒剤としては、遅効性の昆虫成長調節剤が好ましく、特にベンゾイルフェニルウレア系化合物が好適である。
さらにシロアリを誘引する誘引剤を併用しても良く、使用できる誘引剤としては、シロアリが誘引される物質であれば特に限定されない。具体的には、例えば、動植物エキス；カゼイン等の蛋白質類；澱粉、小麦粉、米粉、糠、トウモロコシ粉等の植物粉末；砂糖、蜂蜜、廃糖蜜、異性化糖、ショ糖、液糖、マルトース、サトウキビ果汁等の糖類；プロリン等のアミノ酸類；トウモロコシ油、ヒマシ油、オリーブ油、大豆油、ナタネ油、ピーナッツ油等の植物油；（３Ｓ，４Ｒ，６Ｅ，１０Ｚ）−３，４，７，１１−テトラメチル−トリデカ−６，１０−ジエナール、（ｚ）−９−ヘキサデセナール、２，５−ジメチルピラジン、８−メチル−２，５−ジメチルピラジン、Ｚ，Ｅ−またはＥ，Ｅ−α−フラネセン等の道しるべフェロモン等が挙げられる。
【００１４】
本発明のシロアリ毒餌剤は、容器に入れて使用することが好ましい。その容器の材質は、地中または地表での劣化に強く防湿性に優れたものであれば特に制限されず、樹脂、ガラス、金属等を使用することができる。またその容器の形状は、本発明のシロアリ毒餌剤、すなわち、食毒剤を含有する多孔状シロアリ喫食材料を内部に収納できる空間を有するものであれば、特に限定されない。例えば、立方体型、直方体型、球型、多角柱型、円柱型、棒型、円錐型、多角錐型、卵型、ペットボトル型などの形状を例示できる。
【００１５】
本発明のシロアリ毒餌剤が効力を有するシロアリとは、例えば、ムカシシロアリ科、オオシロアリ科、レイビシロアリ科、シュウカクシロアリ科、ミゾガシラシロアリ科、ノコギリシロアリ科、シロアリ科に属する等翅目昆虫をいう。具体的には、ヤマトシロアリ、イエシロアリ、アメリカカンザイシロアリ、ダイコクシロアリ、タイワンシロアリ、コウシュンシロアリ、サツマシロアリ、ナカジマシロアリ、カタンシロアリ、コダマシロアリ、クシモトシロアリ、オオシロアリ、コウシュウイエシロアリ、アマミシロアリ、キアシシロアリ、カンモンシロアリ、タカサゴシロアリ、ニトベシロアリ、ムシャシロアリ等のほか、イースタンサブテラニアンターマイト、ウエスタンサブテラニアンターマイト、ダークサザンサブラテニアンターマイト、アリッドランドサブテラニアンターマイト、デザートサブテラニアンターマイト、およびネバダダンプウッドターマイト等を挙げることができる。
【００１６】
本発明のシロアリ毒餌剤は、シロアリの生息域に設置して使用する。具体的には例えば、シロアリの被損部、シロアリの通り道、家屋の床下、家屋周辺の土壌等のシロアリが生息している場所またはシロアリの侵入が予想される場所に、本発明のシロアリ毒餌剤をそのまま、若しくは適当な容器に収納して設置することにより使用できる。
【実施例】
【００１７】
以下、処方例および試験例等により、本発明をさらに詳しく説明するが、本発明は、これらの例に限定されるものではない。
【００１８】
＜シロアリ定着評価試験＞
（１）試験検体
２枚の板状のクラフト紙（厚み０．２ｍｍ）の間に波板状のクラフト紙（厚み０．１５ｍｍ）を挟み接着して多孔状シロアリ喫食材料としたものを、試験検体とした。試験検体１〜６の孔（波板状の板紙とその上下に位置する板紙との間に形成される孔）の開口面積を、以下に示す。開口形状が概略三角形状であるため、開口面積は、横幅(ｍｍ)×高さ（ｍｍ）÷２の数式によって求めた。また、孔を有しないクラフト紙（厚み０．２ｍｍ）を非多孔状シロアリ喫食材料として、ブランク検体とした。
試験検体、ブランク検体ともに、大きさは全て４０ｍｍ×４０ｍｍである。
試験検体１：開口面積１６．８ｍｍ２（４．２ｍｍ×８ｍｍ÷２）
試験検体２：開口面積１１．７ｍｍ２（３．４ｍｍ×６．９ｍｍ÷２）
試験検体３：開口面積  ７．５ｍｍ２（２．６ｍｍ×５．８ｍｍ÷２）
試験検体４：開口面積  ４．８ｍｍ２（２．０ｍｍ×４．８ｍｍ÷２）
試験検体５：開口面積  ３．０ｍｍ２（１．９ｍｍ×３．２ｍｍ÷２）
試験検体６：開口面積  ２．０ｍｍ２（１．２５ｍｍ×３．２ｍｍ÷２）
【００１９】
（２）シロアリ定着確認試験方法
試験の概要は図１に示した。
直径９０ｍｍのガラス製シャーレの中央に、試験検体（４０ｍｍ×４０ｍｍ）、あるいはブランク検体（４０ｍｍ×４０ｍｍ）を設置し、それの両端に餌場（水で湿らせた紙、２０ｍｍ×２０ｍｍ）を配置した。ここに、シロアリ（ヤマトシロアリ、職蟻）１００頭を放ち、１２時間後に試験検体の孔の中、ブランク検体上に定着したシロアリの頭数をカウントした。試験は３回行い、その平均値をシロアリ定着数とした。
上記試験検体とそれぞれのシロアリ定着数を、表１と図２に示す。
【００２０】
【表１】
2019037177.tif 000003
【００２１】
（３）シロアリ定着の評価
シロアリは湿気を好む生物のため、上記シロアリの定着確認試験系では、通常は、乾燥している試験検体ではなく、２ヶ所ある湿気のある餌場に定着することが想定され、表１のブランク検体の結果から餌場に定着することが確認された。
しかしながら、試験検体２〜４は乾燥しているにも関わらず、湿気を好むシロアリがブランク検体の約１０倍またはそれ以上、試験検体３においては約２３倍定着が向上することが明らかとなった。
一方、経過観察によると、試験検体１は孔に侵入しても定着することなく孔から出て湿気のある餌場に定着することが、また、試験検体５、６においては、孔に侵入することなく湿気のある餌場に定着することも確認された。
これらの結果を踏まえると、シロアリが定着するためには適した開口面積が存在することが明らかとなった。すなわち、多孔状シロアリ喫食材料における孔の開口面積は、４ｍｍ２以上１２ｍｍ２以下の範囲において、シロアリの定着が特に高まることが明らかとなった。
この数値範囲は臨界的なものであり、本発明者により、新たに見出された知見であって、これにより得られる本発明の効果は格別顕著なものである。
【産業上の利用可能性】
【００２２】
本発明は、多孔状シロアリ喫食材料における全ての孔の開口面積を４ｍｍ２以上１２ｍｍ２以下とすることにより、喫食材料に対するシロアリの定着が飛躍的に向上するという優れた効果を発揮するものである。
したがって、この多孔状シロアリ喫食材料に食毒剤を含有させた本発明のシロアリ毒餌剤は、シロアリに定着が高いため優れたシロアリ駆除効果を発揮し、非常に実用的である。
【図１】
2019037177.tif 000004
【図２】
2019037177.tif 000005